(57)【要約】【課題】開口部が設けられた壁を有するケーシングを備え、その開口部に画像が表示される電子機器に関し、ケーシングからの透明パネルの脱落を防止しつつ薄型化を施す。【解決手段】壁１０１の表面１００ａに取り付けられた、開口部１１０を覆う透明パネル２００と、ケーシング１００内の、透明パネル２００に覆われた位置に配備された、画像を表示する表示装置４００と、開口部１１０の縁１１１に沿って表示装置４００と透明パネル２００の間に配備されたパッキン３００と、壁１０１の裏面１００ｂに取り付けられ、透明パネル２００とパッキン３００との間に介在する、縁１１１の厚さよりも薄い板部材５００とを備える。【選択図】        図４
2005286559.tif 000002
【特許請求の範囲】
【請求項１】
開口部が設けられた壁を有するケーシングを備え、該開口部に画像が表示される電子機器において、
前記壁の表面に取り付けられた、前記開口部を覆う透明パネルと、
前記ケーシング内の、前記透明パネルに覆われた位置に配備された、画像を表示する表示装置と、
前記開口部の縁に沿って前記表示装置と前記透明パネルの間に配備されたパッキンと、
前記壁の裏面に取り付けられ、前記透明パネルと前記パッキンとの間に介在する、前記縁の厚さよりも薄い板部材とを備えたことを特徴とする電子機器。
【請求項２】
複数の操作キーが配列された操作部を有することを特徴とする請求項１記載の電子機器。
【請求項３】
前記板部材が、前記縁に沿って周回した枠状のものであることを特徴とする請求項１記載の電子機器。
【請求項４】
前記板部材が、前記裏面に取り付けられる取付部と、前記透明パネルと前記パッキンとの間に介在する介在部と、前記開口部の縁に接し該取付部と該介在部を結ぶ接続部とを有するものであることを特徴とする請求項３記載の電子機器。
【発明の詳細な説明】
【技術分野】
【０００１】
本発明は、開口部が設けられた壁を有するケーシングを備え、その開口部に画像が表示される電子機器に関する。
【背景技術】
【０００２】
近年、携帯電話等の画像を表示する画像表示部を備えた電子機器（例えば、特許文献１等参照）が広く普及してきているが、携帯性をより高めるため、装置の薄型化が強く望まれている。
【０００３】
図１は、従来の携帯電話の画像表示部が設けられた表示体の構造を説明するための図である。
【０００４】
表示体を組み立てるには、まず、図１（ａ）に示すような表示体のケーシング１００と、透明パネル２００と、パッキン３００を用意する。ケーシング１００には、開口部１１０が設けられている。透明パネル２００は、この開口部１１０よりも大きなものであり、ケーシングの表面１００ａに貼り付けられる。表示体には、最終的に、ケーシング１００内の、透明パネル２００に覆われた位置に液晶表示装置が配備され、開口部１１０に画像が表示される。また、図１に示すパッキン３００は、開口部１１０からケーシング１００の内部に埃や水気が侵入することを防止するための枠状のものである。このパッキン３００は、開口部１１０の縁１１１を囲うように、ケーシング１００の、開口部１１０が設けらた壁１０１の裏面１００ｂに貼り付けられる。
【０００５】
こうして、表面１００ａに透明パネル２００が貼り付けられ裏面１００ｂにパッキン３００が貼り付けられたケーシング１００には、図１（ｂ）に示すように、ケーシング１００内の、透明パネル２００に覆われた位置に液晶表示装置４００が配備される。
【０００６】
図１（ｃ）は、組み立てが完了した表示体の、開口部の縁周辺の断面を示す図である。
【０００７】
この図１（ｃ）に示すように、開口部１１０の縁周辺の構造は、外側から透明パネル２００、ケーシングの縁１１１の部分、パッキン３００、液晶表示装置４００が順に配置された構造である。この構造では、透明パネル２００と液晶表示装置４００の間にケーシング１００とパッキン３００の２つの部材が存在する。ケーシング１００を製造上最薄の寸法に設計すると、開口部１１０の縁１１１の厚さ（肉厚）は０．６ｍｍになる。また、埃や水気が侵入することを防止するため、透明パネル２００は、液晶表示装置４００に向けて強く押さえつけられた状態で貼り付けられており、このため、パッキン３００は圧縮された状態で配置されている。圧縮された状態のパッキンの厚さはおよそ０．４ｍｍ程度である。したがって、図１に示す表示体１０における透明パネル２００と液晶表示装置４００の隙間ａは１．０ｍｍ程度である。
【０００８】
図２は、図１に示す表示体よりも薄型化が図られた表示体の構造を説明するための図である。
【０００９】
図１に示す構成要素と同じ機能を有する構成要素には、図１で用いた符号と同じ符号を付して説明する。
【００１０】
図２（ａ）に示すパッキン３００は、開口部１１０の縁１１１よりも内側に配備されるものであり、開口部１１０の縁１１１に沿うように、透明パネル２００に取り付けられる。すなわち、この図２に示す表示体では、透明パネル２００とパッキン３００が直接接触している。パッキン３００が取り付けられた透明パネル２００は、開口部１１０を覆うように、ケーシングの表面１００ａに貼り付けられる。
【００１１】
次いで、ケーシング１００には、図２（ｂ）に示すように、ケーシング１００内の、透明パネル２００に覆われた位置に液晶表示装置４００が配備される。
【００１２】
図２（ｃ）に示すように、図２に示す表示体のケーシング１００に設けられた開口部１１０の縁周辺の構造は、外側から透明パネル２００、パッキン３００、液晶表示装置４００が順に配置された構造である。この構造では、透明パネル２００と液晶表示装置４００の間には、ケーシング１００はなく、パッキン３００が存在するだけである。したがって、図２に示す表示体１０における透明パネル２００と液晶表示装置４００の隙間ｂは、図１に示す表示体１０に比べ、ケーシングの縁１１１の厚み（０．６ｍｍ）分薄くなり、０．４ｍｍ程度である。
【特許文献１】特開平１１−１７４４１７号公報
【発明の開示】
【発明が解決しようとする課題】
【００１３】
しかしながら、上述の如く透明パネル２００は液晶表示装置４００に向けて強く押さえつけられた状態で貼り付けられており、図２に示す構造では、透明パネル２００とパッキン３００が直接接触しているため、透明パネル２００には液晶表示装置４００からの反力がパッキン３００を介してかかり、時間が経つとケーシング１００から透明パネル２００が剥がれ落ちることがある。
【００１４】
本発明は上記問題点を解決し、ケーシングからの透明パネルの脱落を防止しつつ薄型化を施した電子機器を提供することを目的とするものである。
【課題を解決するための手段】
【００１５】
上記目的を達成する本発明の電子機器は、開口部が設けられた壁を有するケーシングを備え、その開口部に画像が表示される電子機器において、
上記壁の表面に取り付けられた、上記開口部を覆う透明パネルと、
上記ケーシング内の、上記透明パネルに覆われた位置に配備された、画像を表示する表示装置と、
上記開口部の縁に沿って上記表示装置と上記透明パネルの間に配備されたパッキンと、
上記壁の裏面に取り付けられ、上記透明パネルと上記パッキンとの間に介在する、上記縁の厚さよりも薄い板部材とを備えたことを特徴とする。
【００１６】
本発明の電子機器では、図１に示す従来の電子機器に比べて、上記縁の厚みと上記板部材の厚みとの差分だけ、上記透明パネルと上記表示装置の隙間が狭くなる。また、透明パネルが表示装置に向けて強く押さえつけられた状態で取り付けられたとしても、表示装置からの反力は、パッキンを介して板部材によって受け止められ、その反力が透明パネルに直接かかることが防止される。したがって、本発明の電子機器によれば、ケーシングからの透明パネルの脱落を防止しつつ薄型化が施される。
【００１７】
ここで、本発明の電子機器は、複数の操作キーが配列された操作部を有するものであってもよい。
【００１８】
また、本発明の電子機器において、上記板部材が、上記縁に沿って周回した枠状のものであることが好ましい。
【００１９】
こうすることで、上記表示装置からの反力を板部材によって均等に受け止めることができる。
【００２０】
さらに、本発明の電子機器において、上記板部材が、上記裏面に取り付けられる取付部と、上記透明パネルと上記パッキンとの間に介在する介在部と、上記開口部の縁に接しその取付部とその介在部を結ぶ接続部とを有するものであることも好ましい。
【発明の効果】
【００２１】
本発明によれば、ケーシングからの透明パネルの脱落を防止しつつ薄型化を施した電子機器を提供することができる。
【発明を実施するための最良の形態】
【００２２】
以下図面を参照して本発明の実施の形態を説明する。
【００２３】
図３は、本発明の電子機器の一実施形態である携帯電話の外観を示す図である。
【００２４】
図３に示す携帯電話１は、２つに折り畳むことができる折りたたみ式の携帯電話であって、図３には開いた状態が示されている。この携帯電話１は、電話番号やその他各種の情報を表示する画像表示部１１を有する表示体１０と、電話番号やその他の情報を入力する複数の操作キー９１が配列された操作体９０とを有する。表示体１０のケーシング１００の上方には、受話用スピーカから発音される音声を外部に向けて発する孔１０１が形成されている。また、操作体９０には、操作キー９１が配列された部分の下に指紋センサ９２が配備されている。この携帯電話１では、指紋を登録しておいて指紋が一致しないと使用不能とするものであり、不正使用が防止される。さらに、操作体９０のケーシング９００には、しゃべった音声を内部の送話用マイクロホンに伝えるための孔９０１が形成されている。また、操作体９０にはアンテナ９３が組み込まれている。
【００２５】
図４は、図３に示す携帯電話の表示体の構造を説明するための図である。
【００２６】
ここでも、図１に示す構成要素と同じ機能を有する構成要素には、図１で用いた符号と同じ符号を付して説明する。
【００２７】
図３に示す表示体を組み立てるには、まず、表示体のケーシング１００、透明パネル２００、パッキン３００の他、板部材５００を用意する。透明パネル２００は、開口部１１０よりも大きなものであり、ケーシングの表面１００ａに貼り付けられる。板部材５００は、開口部１１０の縁１１１の厚さ（０．６ｍｍ）よりも薄い、厚さ０．１ｍｍ〜０．２ｍｍ程度のステンレス板金を折曲加工して成形された枠状のものである。この板部材５００の大きさは開口部１０１の大きさよりも大きいが、板部材の内周径はパッキン３００の内周径と同じである。パッキン３００は、この板部材５００に互いの内周を一致させて、板部材５００の裏面側に取り付けられる。板部材５００は、ケーシング１００の、開口部１１０が設けらた壁１０１の裏面１００ｂに取り付けられる。透明パネル２００、パッキン３００、および板部材５００の３つの部材が配置されたケーシング１００では、板部材５００の内周側の部分が、透明パネル２００とパッキン３００に挟まれた状態になる。すなわち、板部材５００は、ケーシング１００の裏面１００ｂに取り付けられる枠状の取付部５１０と、透明パネル２００と前記パッキン３００との間に介在する枠状の介在部５２０を有するものである。
【００２８】
次いで、ケーシング１００には、図４（ｂ）に示すように、ケーシング１００内の、透明パネル２００に覆われた位置に液晶表示装置４００が配備される。この図４（ｂ）では、ケーシング１００内に配備された液晶表示装置４００の、最大表示領域の縁を実線Ｌで示すとともに、開口部１１０の縁１１１も実線で示している。また、板部材５００は点線で示してある。
【００２９】
図４（ｃ）に示すように、図３に示す表示体のケーシング１００に設けられた開口部１１０の縁周辺の構造は、外側から透明パネル２００、板部材５００の介在部５２０、パッキン３００、液晶表示装置４００が順に配置された構造である。この構造では、透明パネル２００と液晶表示装置４００の間には、０．１ｍｍ〜０．２ｍｍ程度の厚さの板部材５００と、０．４ｍｍ程度にまで圧縮されたパッキン３００が存在する。したがって、図３に示す表示体１０における透明パネル２００と液晶表示装置４００の隙間ｃは、図１に示す表示体１０に比べ、半分近く薄くなり、０．５ｍｍ〜０．６ｍｍ程度である。
【００３０】
また、板部材５００の介在部５２０と取付部５１０は、開口部の縁に接した接続部５３０によって結ばれている。このため、透明パネル２００が液晶表示装置４００に向けて強く押さえつけられた状態で貼り付けられたことによる液晶表示装置４００からの反力は、パッキン３００を介して板部材５００によって受け止められ、その反力が透明パネル２００に直接かかることが防止されている。したがって、図３に示す携帯電話１は、ケーシング１００からの透明パネル２００の脱落を防止しつつ薄型化が施されたものである。
【００３１】
なお、図４に示す板部材５００は、開口部１１０の縁１１１に沿って周回した枠状のものであるが、縁１１１に沿って断片的に設けられたものであってもよい。また、ここでは、折りたたみ式の携帯電話を例にあげて説明したが、本発明の電子機器は、折りたたみ式以外の携帯電話にも適用することができ、さらには、携帯電話以外の電子機器、例えば、いわゆる携帯情報端末と称される、タッチパネル等を備えた手帳サイズの情報機器や液晶表示装置を備えたデジタルカメラ等にも適用することができる。
【図面の簡単な説明】
【００３２】
【図１】従来の携帯電話の画像表示部が設けられた表示体の構造を説明するための図である。
【図２】図１に示す表示体よりも薄型化が図られた表示体の構造を説明するための図である。
【図３】本発明の電子機器の一実施形態である携帯電話の外観を示す図である。
【図４】図３に示す携帯電話の表示体の構造を説明するための図である。
【符号の説明】
【００３３】
１    携帯電話
１０    表示体
１１    画像表示部
１００    ケーシング
１０１    壁
１００ａ    表面
１００ｂ    裏面
１１０    開口部
１１１    縁
２００    透明パネル
３００    パッキン
５００    板部材
５１０    取付部
５２０    介在部
５３０    接続部
９０    操作体
９１    操作キー
【図１】
2005286559.tif 000003
【図２】
2005286559.tif 000004
【図３】
2005286559.tif 000005
【図４】
2005286559.tif 000006